(57)【要約】【課題】圧入抵抗を軽減させつつもパレットの凹部に確実に保持し得ることができ、しかも、パレットや滑り止め具を成型する際に使用される金型の複雑化を伴うことのない滑り止め具を提案する。【解決手段】荷物を積載、運搬するのに使用されるパレット３に点在配置され該パレット３に積載された荷物の、該パレット外表面での滑り、あるいはフォークリフトの爪部の、パレット外表面での滑りを防止する滑り止め具において、前記パレット３に設けられた凹部３ａに挿入される胴体１と、該胴体１に一体的に設けられ天面２ａを該パレット３の外表面に露出させて該荷物あるいはフォークリフトの爪部に直接接触可能な頭部２とを備えたもので構成し、該胴体１と該頭部２との境界に、該胴体１の周りを連続的または断続的に周回し、かつ、該凹部３ａに圧入されて該胴体１そのものを該凹部３ａにおいて抜け止め保持する少なくとも１つの環状凸部４を設ける。【選択図】図１
2018177316.tif 000002
【特許請求の範囲】
【請求項１】
荷物を積載、運搬するのに使用されるパレットに点在配置され該パレットに積載された荷物の、該パレット外表面での滑り、あるいはフォークリフトの爪部の、パレット外表面での滑りを防止する滑り止め具であって、
前記パレットに設けられた凹部に挿入される胴体と、該胴体に一体的に設けられ天面を該パレットの外表面に露出させて該荷物あるいはフォークリフトの爪部に直接接触可能な頭部とを備え、
該胴体と該頭部との境界に、該胴体の周りを連続的または断続的に周回し、かつ、該凹部に圧入されて該胴体そのものを該凹部において抜け止め保持する少なくとも１つの環状凸部を配設してなる、ことを特徴とするパレットの滑り止め具。
【請求項２】
前記胴体は、前記凹部の内壁面との間で極僅かな隙間を隔てて対面し、前記環状凸部が圧入される際に該環状凸部を該凹部内で案内するガイド壁を有する、ことを特徴とする請求項１に記載したパレットの滑り止め具。
【請求項３】
前記環状凸部は、前記頭部に向かうにしたがい圧入抵抗が高まる断面形状を有する、ことを特徴とする請求項１または２に記載したパレットの滑り止め具。
【発明の詳細な説明】
【技術分野】
【０００１】
本発明は、荷物の運搬や保管等に使用されるパレットにつき、そのパレットに載置された荷物の、パレット外表面での滑り、あるいはフォークリフトの爪部の、パレット外表面での滑りを防止する滑り止め具に関するものである。
【背景技術】
【０００２】
荷物の運搬や保管等に使用されるパレット（平パレット）は、荷物の載置面を形成する矩形状の天板と、該天板の下方で接地面を形成する矩形状の底板と、該天板および底板をそれらのコーナー部、中央部、縁部中間部で相互に連結する複数本の柱部材等で構成されている。
【０００３】
かかるパレットにて荷物を運搬、保管等するには、荷物を天板に載せたのち、フォークリフトを使用して所定の場所まで運ばれることになるが、通常、この種のパレットでは、天板に乗せた荷物の、パレット外表面での滑りやフォークリフトの爪部の、パレットでの滑りを防止する観点から、パレットには、摩擦抵抗を高めてそれらの滑りを防止するグロメットと呼ばれる滑り止め具が各箇所に点在配置されている。
【０００４】
この点に関する先行技術として、例えば、特許文献１には、打ち込みロボットに、打ち込みハンマー装置及び多数のグロメットが収容可能なグロメット収容部材を把持する把持装置を配設したグロメット装着システムが開示されている。また、特許文献２には、硬質合成樹脂からなるグロメット本体の脚部材に該脚部材の高さ方向に全長に亘って延在するスリットを複数形成し、該脚部材を、複数の副脚部に分割するように構成したグロメットが、さらに、特許文献３には、合成樹脂製パレットのデッキに、滑り止め用弾性部材の中空空間に対して内嵌する突起付きの嵌着用凹部を形成し、この嵌着用凹部の内周壁部および突起の外周壁部に、底部側ほど漸次径が大で、かつ、滑り止め用弾性部材を押し込んだとき、その環状周壁部を漸次外方に大きく弾性変形する勾配を付した構造がそれぞれ開示されている。
【先行技術文献】
【特許文献】
【０００５】
【特許文献１】特開平１１−１５１６２５号公報
【特許文献２】特開２００５−２６３２６１号公報
【特許文献３】実開昭５５−１７６１２７号公報
【発明の概要】
【発明が解決しようとする課題】
【０００６】
ところで、上記従来技術においては、以下に述べるような不具合を有しており、その改善が求められていた。
【０００７】
すなわち、特許文献１に開示されたグロメット装着システムは、グロメットを適度な圧入寸法となるように設計し、それを、グロメットの取り付け箇所に圧入するもの（しまり嵌め）であるが、グロメットの打ち込み時に該グロメットが取り付け箇所で傾いて打ち込みが困難となり、設備トラブル、品質トラブルを引き起こすことも懸念される。
【０００８】
また、特許文献２に開示された技術は、グロメットの圧入負荷の軽減とパレットからの脱落の防止を図ることを目指したものではあるものの、かかる技術においては、パレット本体およびグロメットを成型する成型金型の複雑化、金型コストの高騰を招く不具合がある。
【０００９】
さらに、特許文献３に開示された技術は、パレット製造工程における「型抜き」時の金型への影響が少ない技術であるとされてはいるが、パレット側凹部を成型する金型構造には逆勾配が付与されているため長期間の繰り返し生産となれば金型の磨耗は不可避であり、そのままパレットの製造が続行された場合には、滑り止め具の脱落防止効果は損なわれることになる。
【００１０】
本発明の課題は、滑り止め具やパレットを成型するのに用いられる成型金型の複雑化を招いたり、傾きなどの装着トラブルを引き起すことなしに確実にパレットに取り付けることができる滑り止め具を提案するところにある。
【課題を解決するための手段】
【００１１】
本発明は、荷物を積載、運搬するのに使用されるパレットに点在配置され該パレットに積載された荷物の、該パレット外表面での滑り、あるいはフォークリフトの爪部の、パレット外表面での滑りを防止する滑り止め具であって、
前記パレットに設けられた凹部に挿入される胴体と、該胴体に一体的に設けられ天面を該パレットの外表面に露出させて該荷物あるいはフォークリフトの爪部に直接接触可能な頭部とを備え、
該胴体と該頭部との境界に、該胴体の周りを連続的または断続的に周回し、かつ、該凹部に圧入されて該胴体そのものを該凹部において抜け止め保持する少なくとも１つの環状凸部を配設してなる、ことを特徴とするパレットの滑り止め具である。
【００１２】
上記の構成からなるパレットの滑り止め具においては、前記胴体は、前記凹部の内壁面との間で極僅かな隙間を隔てて対面し、前記環状凸部が圧入される際に該環状凸部を該凹部内で案内するガイド壁を有することが望ましい。また、前記環状凸部は、前記頭部に向かうにしたがい圧入抵抗が高まる断面形状を有するものとするのが望ましい。
【発明の効果】
【００１３】
上記の構成からなる本発明の滑り止め具によれば、胴体と頭部の境界に設けた環状凸部をパレットの凹部に圧入させて固定、保持するようにしたため（滑り止め具の胴部の全体が圧入されるものではない）、滑り止め具の取り付けにおける圧入抵抗を小さくすることができる。
【００１４】
また、本発明の滑り止め具によれば、環状凸部が形成される部位をパーティングラインとする二つ割りの金型を用いるだけで滑り止め具の成型が可能（滑り止め具は、単一材料で成型可能）であり、金型構造の複雑化を伴うことがない。また、滑り止め具を取り付けるパレットの凹部については、とくに、逆勾配を付与したり、滑り止め具を係止するような突起等を設ける必要はなく、パレットを形成する金型構造についても簡素化が可能となる。
【００１５】
また、本発明の滑り止め具によれば、胴体にガイド壁を有しているため、滑り止め具の傾きが抑制され、パレットの凹部へのスムーズな圧入が可能となる。
【００１６】
さらに、本発明の滑り止め具によれば、環状凸部を頭部に向かうにしたがって圧入抵抗が高まる、例えば、テーパが付された断面形状を有するものとしたため、滑り止め具をパレットの凹部に取り付けるに際しては、比較的抵抗の低い状態で圧入することが可能であり、滑り止め具の取り付け完了後は、滑り止め具がパレットの凹部から簡単に抜け出ることがなくなる。
【図面の簡単な説明】
【００１７】
【図１】本発明にしたがう滑り止め具の外観を模式的に示した斜視図である。
【図２】（ａ）は、図１の平面を示した図であり、（ｂ）は、側面を示した図であり、（ｃ）は、底面を示した図である。
【図３】図２（ａ）のＡ−Ａ断面を示した図である。
【図４】図１〜３に示した滑り止め具をパレットの外表面に点在配置した一例を模式的に示した外観斜視図である。
【図５】従来の滑り止め具の取り付け状況を示した図である。
【図６】本発明にしたがう滑り止め具の取り付け状況を示した図である。
【発明を実施するための形態】
【００１８】
以下、図面を用いて本発明をより具体的に説明する。
図１は、本発明にしたがうパレットの滑り止め具の外観を模式的に示した斜視図であり、図２（ａ）〜（ｃ）は、図１に示した滑り止め具の平面、側面および底面を示した図であり、図３は、図２（ａ）のＡ−Ａ断面を示した図である。また、図４は、図１〜３に示した滑り止め具をパレットに点在配置した一例を模式的に示した外観斜視図である。
【００１９】
なお、本発明にしたがう滑り止め具を取り付けるパレットとしては、平パレットなどの合成樹脂で構成されるものが用いられる。また、滑り止め具としては、滑り止め効果を高めるため、低密度ポリエチレン（ＬＤＰＥ）やウレタンゴムなどで構成されたもの（サイズは、円筒形状をなすものの場合で、径にして２０〜４０ｍｍ程度、高さにして、１０〜３０ｍｍ程度に設定されたもの）が用いられるが、パレット、滑り止め具は、いずれにおいても上記の材質に限定されることはない。また、滑り止め具は、ここでは、円筒形状をなすものを例として示しているが、その形状は、矩形状ものや多角形状のものなどを適用することが可能であり、形状、サイズについても任意に変更し得る。
【００２０】
図における符号１は、滑り止め具の胴体、２は、胴体１に一体的に設けられた頭部である。胴体１は、下向きに開放された凹部１ａを有する筒状のものを例として示してある（図３参照）。また、頭部２は、天面２ａの中央部に該凹部１ａにつながる開口２ｂを備えたディスク状のものを例として示してある。
【００２１】
上記胴体１は、パレット３に設けられた凹部３ａ（図４参照）に挿入されるものであり、胴体１が凹部３ａに挿入された状態では、頭部２の天面２ａがパレット３の外表面から露出することとなり（図４、６参照）、パレット３の上に置かれた荷物あるいはフォークリフトの爪部（図示せず）に天面２ａが直接接触することによりそれらの間での滑りを防止するようになっている。胴体１は、パレット３の凹部３ａに挿入された際に該凹部３ａの内壁面との間で極僅かな隙間ｔ、例えば、０ｍｍ超、０．５ｍｍ以下程度の隙間ｔ（ガタツキが生じることがない程度の嵌め合い公差に設定、図６参照）を隔てて対面するガイド壁１ｂと、このガイド壁１ｂにつながり下部に向けて先細り形状をなす逆円錐台状の先細り壁１ｃから構成されている。なお、滑り止め具を取り付ける凹部３ａは、フォークリフトの爪部が挿入される開口縁部にも設けられている（図示せず）。
【００２２】
また、符号４は、胴体１と頭部２との境界に設けられ、胴体１の周りを連続的に周回する環状凸部である。この環状凸部４は、滑り止め具の胴体１をパレット３の凹部３ａを挿入する際に、凹部３ａに圧入されて胴体１そのものを凹部３ａに抜け止め保持する機能を有している。
【００２３】
環状凸部４は、胴体１、頭部２と一体に成型されるものであり、胴体１の周りで断続的に周回するものであってもよいし、胴体１の軸芯Ｌ（図１参照）に沿い間隔をおいて複数本設けられたものを用いることもできる。
【００２４】
環状凸部４としては、頭部２に向かうにしたがい圧入抵抗が高まる、例えば、テーパが付されたリップ形状になるもの、厚さが頭部２に向けて増していく楔状（勾配）断面形状を有するもの、あるいは半円状の断面形状を有するもの等を適用することができる。かかる環状凸部４によれば、圧入抵抗の過大な上昇を伴うことなしに滑り止め具をパレット３の凹部３ａに挿入することが可能となり、滑り止め具が該凹部３ａに挿入された後においてはそこから簡単に抜け出すことがない圧入力（嵌合力）に維持されることとなる。環状凸部４の寸法ｗは、好ましくは、２〜５ｍｍ程度に、また、最大突出代ｅは、好ましくは、０．５〜１．０ｍｍ程度に設定される（図３参照）。
【００２５】
従来のこの種の滑り止め具は、その全体がパレット３の凹部３ａに圧入されるようになっているのが普通であり、その取り付け状況によっては、図５に示すように該滑り止め具が凹部３ａに対して傾くこともあり、この場合には、取り付け作業に支障を来たすだけでなく滑り止め具がもつ機能を有効に発揮することができないこともあったが、本発明にしたがう滑り止め具は、図６に示すように、環状凸部４がパレット３の凹部３ａに圧入される際にガイド壁１ｂによって案内されるため、滑り止め具が凹部３ａ内で傾いて取り付けられることがなく、しかも、ガイド壁１ｂは、凹部３ａの内壁面との間で極僅かな隙間ｔを隔てて位置することになることから、圧入抵抗も軽減できる利点を有している。ガイド壁１ｂの長さＨについては、胴体１の長さＨ１の３０〜８０％に設定することができる。
【００２６】
本発明の滑り止め具は、頭部２の天面２ａに、図示はしないが、例えば、複数の点状突起、井桁状に配置された直線状の凸部、あるいは、同心配列になる複数本の環状突起を設けておくことも可能であり、これにより、荷物あるいは爪部との摩擦抵抗をより一層高めることができる。
【００２７】
また、胴体１の周りには、ガイド壁１ｂの代わりにガイド壁１ｂと同程度の長さになる複数本の縦リブを設けておくこともでき、滑り止め具をパレット３の凹部３ａに取り付ける際に、この縦リブによって案内することも可能である。
【００２８】
本発明にしたがう滑り止め具は、基本的には、単一原料からなる成型品として構成されるものであり、パレット、滑り止め具を成型するうえでその金型構造の簡素化を図り得る。
【産業上の利用可能性】
【００２９】
本発明によれば、圧入抵抗を軽減させつつもパレットの凹部に確実に保持し得る滑り止め具が提供できる。また、本発明によれば、パレットや滑り止め具を成型する際に使用される金型の簡素化を可能とする滑り止め具が提供できる。
【符号の説明】
【００３０】
１      胴体
１ａ    凹部
１ｂ    ガイド壁
１ｃ    先細り壁
２      頭部
２ａ    天面
２ｂ    開口
３      パレット
３ａ    凹部
４      環状凸部
ｔ      隙間
【図１】
2018177316.tif 000003
【図２】
2018177316.tif 000004
【図３】
2018177316.tif 000005
【図４】
2018177316.tif 000006
【図５】
2018177316.tif 000007
【図６】
2018177316.tif 000008